(57)【要約】【課題】  精力減退や性的不能に有効であるとともに、副作用などを伴うこともなく安全性に優れた男性用の精力増強具を実現する。チの倣い装置を実現する。【解決手段】  精力増強具１１の材料として、シリコン・ゴムと粉体状のゲルマニウムとの混合物を用いる。シリコン・ゴムとゲルマニウムの混合比率は、それらの総重量に対して、シリコン・ゴムを４０重量％、ゲルマニウムを６０重量％とする。この混合物を用いて精力増強具１１を円環状に形成する。そのサイズは、外径Ｄｏを３３ミリメートル、内径Ｄｉを２５ミリメートル、厚さＴを４ミリメートルとする。【選択図】  図１
2005185796.tif 000002
【特許請求の範囲】
【請求項１】
伸縮性を有する素材とゲルマニウムとを混合してなり、前記伸縮性を有する素材と前記ゲルマニウムとの混合比率が、それらの総重量に対して、それぞれ７〜９９．９重量％および０．１〜９３重量％の範囲にある混合物を用い、円環状、円筒状、袋状、リボン状およびシート状の１つに形成したことを特徴とする精力増強具。
【請求項２】
伸縮性を有するように織った織布を円環状、円筒状、袋状、リボン状およびシート状の１つに形成して、その表面部に、伸縮性を有する素材とゲルマニウムとを混合してなり、前記伸縮性を有する素材と前記ゲルマニウムとの混合比率が、それらの総重量に対して、それぞれ７〜９９．９重量％および０．１〜９３重量％の範囲にある混合物を塗布したことを特徴とする精力増強具。
【請求項３】
伸縮性を有する素材とゲルマニウムとからなり、前記伸縮性を有する素材と前記ゲルマニウムとの混合比率が、それらの総重量に対して、それぞれ７〜９９．９重量％および０．１〜９３重量％の範囲にある混合物および前記ゲルマニウムの一方を混入した化学繊維を用いて伸縮性を有するように織った織布を、円環状、円筒状、袋状、リボン状およびシート状の１つに形成したことを特徴とする精力増強具。
【発明の詳細な説明】
【技術分野】
【０００１】  本発明は精力増強具に関する。より詳しくは、精力が減退したり、性的に不能である男性に極めて有効であり、しかも、副作用などを伴うこともなく安心して使用することができる安全性に優れた、男性用の精力増強具を提供せんとするものである。
【背景技術】
【０００２】  肉体疲労や精神的なストレス、あるいは糖尿病などの疾病による精力減退や性的不能に深刻に悩む中高年男性が少なくない。また、中高年男性のみならず、近時は、若年層の男性においても、性的能力が低下していることが指摘されている。【０００３】  そこで、従来より、各種の男性用の精力増強剤が提供されているが、昨今、その代表的なものとして「バイアグラ」が注目されている。このバイアグラは、アメリカ合衆国内において開発された医薬品であり、その有効性はほぼ実証されているといわれている。ただし、現在、我が国においては、バイアグラの製造販売は許可されておらず、個人輸入によって細々と国内市場に搬入されている。
【発明の開示】
【発明が解決しようとする課題】
【０００４】  しかしながら、バイアグラは、上述のように、我が国では合法化されておらず、これを販売することは非合法取引となる。また、我が国の国内市場では少量しか流通していないため、取引価格の異常高騰という事態を招いている。のみならず、バイアグラは、薬効が強力であることから、その副作用が懸念され、事実、バイアグラの服用に起因する死亡例が報告されている。【０００５】  このように、バイアグラは、精力減退や性的不能に有効であることが確認されているものの、種々の問題点があり、とくに安全性が充分に確保されているとはいえず、安全に対する信頼性に欠けるという解決すべき課題があった。
【課題を解決するための手段】
【０００６】  上記課題に照らし、本発明はなされたものである。そのために、本発明では、ゴム、プラスチックなどの伸縮性を有する素材とゲルマニウムとを混合してなる混合物を用いて、円環状、円筒状又は袋状に形成するようにした。
【発明の効果】
【０００７】  本発明によるならば、簡易な構成により陰茎勃起を助長する効果が得られ、肉体疲労や精神的なストレス、糖尿病などの疾病に起因する精力減退や性的不能による陰茎勃起の不全が著しく改善される。したがって、一般的に精力が減退している中高年の男性のみならず、性的能力が低下している若年層の男性にとっても、極めて有効である。
【発明を実施するための最良の形態】
【０００８】  本発明を実施するための最良の形態を、図１に示し説明する。ここで、図１は、本発明による精力増強具の構成を示す斜視図である。【０００９】  図１において、本形態における精力増強具１１は、円環（リング）状に形成されており、外径Ｄｏは３３ミリメートル、内径Ｄｉは２５ミリメートル、厚さＴは４ミリメートルである（サイズは、必要に応じて適宜設定する）。また、ここに用いられている材料は、シリコン・ゴムと粉体状のゲルマニウムとの混合物である。シリコン・ゴムとゲルマニウムの混合比率は、それらの総重量に対して、シリコン・ゴムが４０重量％、ゲルマニウムが６０重量％である。作製方法は、溶解しているシリコン・ゴムに粉体状のゲルマニウムを混入し、充分に撹拌したうえで、金型の雌型内に流し込んで固化させる。その場合、ゲルマニウムは、溶解せずに粉体状の形態を維持したまま、シリコン・ゴム中に混入している。【００１０】  ここで、ゲルマニウムは、近年、その有用性が医療の分野においてとみに注目されており、つぎのような特徴を有する。すなわち、その放出する電気エネルギーにより、血行促進効果が得られる。また、１００ミクロンメートル程度の波長の遠赤外線を放出することから、温熱効果を得ることができる。しかも、これらの効果は、半永久的に持続する。さらに、人体に直接に接触させても悪影響を与えることはなく、例えば皮膚がかぶれたりすることはない。【００１１】  このような特徴を有するゲルマニウムを用いた精力増強具１１は、その中空部１２内に男性の性器の陰茎を通したうえで、陰茎基部に装着して使用する。ここにおける精力増強具１１には、弾性を有し伸縮性があるシリコン・ゴムが用いられているので、使用に際して装着者に別段の苦痛や違和感を与えることはない。また、装着部位の皮膚に何らの悪影響を与えることもない。【００１２】  以上説明した精力増強具１１を、３０〜７０歳代にわたる男性３０人が試用したところ、そのすべての試用者において極めて有効であり、陰茎勃起が助長されるとの結果を得ている。すなわち、精力減退や性的不能が顕著に改善されるという効果が確認されている。【００１３】  以上においては、シリコン・ゴムとゲルマニウムの混合比率が、シリコン・ゴムが４０重量％、ゲルマニウムが６０重量％である場合を例として説明した。しかし、本発明は、これに限定されるものではない。用いるゲルマニウムが、シリコン・ゴムとゲルマニウムの総重量に対して、０．１〜９３重量％の範囲において、本発明は適用され得るものである。【００１４】  また、用いるゲルマニウムの形態が粉体状である場合について説明した。しかし、本発明は、これに限られない。粒状の形態のゲルマニウムを用いる場合、さらには、ゲルマニウムを溶解してシリコン・ゴムと混融させる場合にも、本発明は適用し得るものである。【００１５】  さらに、ゲルマニウムと混合する素材としてシリコン・ゴムを例に挙げて説明したが、これに限られるものではない。その他にも、天然ゴム、軟質であって伸縮性を有するプラスチックを用いるようにしてもよい。また、伸縮性を有するように織った狭幅の織布を円環状に形成し、その内壁にシリコン・ゴムとゲルマニウムとの混合物を塗布し、��るいは、この混合物またはゲルマニウムのみを混入した化学繊維を用い、これを伸縮性を有するようにして織った狭幅の織布を、円環状に形成するようにしてもよい。【００１６】  また、図１では、精力増強具１１を円環状に形成する場合を図示したが、本発明は、これに限定されない。図２（ａ）（斜視図）に示すように、円筒状に形成された精力増強具２１とし、あるいは、図２（ｂ）（断面図）に示すように、袋状に形成された精力増強具３１とした場合にも、本発明は適用することができるものである。【００１７】  のみならず、本発明による精力増強具は、リボン状に形成し、使用時は陰茎に結んで装着するようにしてもよく、また、シート状に形成して、使用時は陰茎を包むようにしたうえで、例えばゴム製のリングにより保持するようにしてもよい。【００１８】  なお、本発明による精力増強具１１は、人体に直接に接触させて装着するものであることから、その表面部に抗菌処理を施すのが、衛生上好ましい。
【図面の簡単な説明】
【００１９】
【図１】本発明による精力増強具の構成を示す斜視図である。
【図２】本発明による精力増強具の他の形状例を示す構成図である。
【符号の説明】
【００２０】  １１  精力増強具
１２  中空部
２１，３１  精力増強具
【図１】
2005185796.tif 000003
【図２】
2005185796.tif 000004